(57)【要約】【課題】過熱を確実に防止し、過熱防止のための温度ヒューズの取り扱いや実装作業を簡略化する。【解決手段】少なくとも２つの巻線コイル３、４と、巻線コイル３、４が巻回されるコイルボビン２とを備え、コイルボビン２に設けられた補助端子１２を介して巻線コイル３、４の末端と温度ヒューズ５とが直列に接続されている。温度ヒューズ５は、巻線コイル３、４の外周面に接するように、あるいはコイルボビン２に接するように固定され、巻線コイル３、４が過熱した際には溶断して巻線コイル３、４に流れる電流を直ちに遮断する。【選択図】  図１
2004266088.tif 000002
【特許請求の範囲】
【請求項１】
少なくとも２つの巻線コイルと、当該巻線コイルが巻回されるコイルボビンとを備え、
前記コイルボビンに設けられた補助端子を介して巻線コイルの末端と温度ヒューズとが直列に接続されていることを特徴とするラインフィルタ。
【請求項２】
前記温度ヒューズの一方の端子が前記補助端子に接続され、他方の端子がコイルボビンの巻線用のリードピンに接続されていることを特徴とする請求項１記載のラインフィルタ。
【請求項３】
前記温度ヒューズは、前記巻線コイルの外周面に接するように固定されていることを特徴とする請求項１記載のラインフィルタ。
【請求項４】
前記温度ヒューズは、前記コイルボビンに接するように固定されていることを特徴とする請求項１記載のラインフィルタ。
【発明の詳細な説明】
【０００１】
【発明の属する技術分野】
本発明は、過熱保護機構として温度ヒューズを備えたラインフィルタに関するものである。
【０００２】
【従来の技術】
通常、スイッチング電源のＡＣ入力部は、図４に示すような構成を有しており、ラインフィルタはスイッチングノイズを電灯線に流さないように働く。図４に示す回路構成について説明すると、スイッチング電源のＡＣ入力部は、コアに巻回された一次コイル１０１と二次コイル１０２とからなるラインフィルタ１００と、ラインフィルタ１００の二次コイル１０２に発生した交流を整流するための整流回路１０３とから構成されている。
【０００３】
上記一次コイル１０１には、一般商用電源として、例えばＡＣ１００Ｖが電流ヒューズ１０４を介して印加される。また、上記整流回路１０３は、ブリッジダイオード１０５と、平滑コンデンサ、平滑抵抗（いずれも図示は省略する。）とから構成されている。
【０００４】
このような回路構成を有するＡＣ入力部では、電流ヒューズ１０４を介して一次コイル１０１にＡＣ１００Ｖが印加され、二次コイル１０２に発生する所定電圧の交流が整流回路１０３により整流され、出力コードから直流が出力される。そして、異常発生時に、電流ヒューズ１０４に異常電流が流れると、電流ヒューズ１０４が自己発熱により溶断し、電流が遮断されてラインフィルタ１００の焼損等を防止するようになっている。
【０００５】
このとき、故障等によりＡＣ電源からの電流が大きくなり、電流ヒューズ１０４に流れる電流が所定の値を越えると、前記の通り電流ヒューズ１０４が溶断して電流が遮断される。しかしながら、電流ヒューズ１０４が溶断しない程度の電流が流れ続けた場合、ラインフィルタ１００の巻線抵抗により巻線（一次コイル１０１や二次コイル１０２）が発熱し、これらコイルが巻回されるコイルボビンの溶融や、ラインフィルタ１００の巻線同士のレイヤーショートを起こす虞れがある。
【０００６】
そこで、ラインフィルタの過熱を防止する過熱保護装置が提案されている（例えば、特許文献１等を参照）。この過熱保護装置は、ボビンに巻線を巻回してなるラインフィルタをプリント基板に実装し、巻回部の上部にアキシャルタイプの温度ヒューズを取り付け、リードをプリント基板のパターンに固着し、該パターンにラインフィルタの巻線の一端を接続してなるものである。
【０００７】
【特許文献１】
特開２００２−８９３２号公報
【０００８】
【発明が解決しようとする課題】
しかしながら、前記特許文献１に記載されるような構造を採用した場合、ラインフィルタと温度ヒューズとは個別の素子として取り扱う必要があり、例えばプリント基板への実装も別々に行う必要がある。このため、実装作業等が煩雑なものとなる。また、プリント基板上にそれぞれの端子に対応したランド等を設ける必要があり、実装面積の増大に繋がる等の欠点もある。
【０００９】
本発明は、このような従来のものの有する欠点を解消するために提案されたものであり、過熱を確実に防止することができ、しかも過熱防止のための温度ヒューズの取り扱いや実装作業を簡略化することが可能なラインフィルタを提供することを目的とする。
【００１０】
【課題を解決するための手段】
上述した目的を達成するするために、本発明のラインフィルタは、少なくとも２つの巻線コイルと、当該巻線コイルが巻回されるコイルボビンとを備え、前記コイルボビンに設けられた補助端子を介して巻線コイルの末端と温度ヒューズとが直列に接続されていることを特徴とするものである。
【００１１】
ここで、温度ヒューズは、巻線コイルの外周面に接するように、あるいはコイルボビンに接するように固定されているので、巻線コイルが過熱した際には溶断して巻線コイルに流れる電流を直ちに遮断する。また、温度ヒューズは、巻線コイルの端末とコイルボビンの端子との間に補助端子を介して直列に接続され、巻線コイルと一体化されているので、温度ヒューズとラインフィルタとを１つの素子として取り扱うことができ、実装作業等の取り扱いが簡略化される。また、実装面積も小さくて済む。
【００１２】
【発明の実施の形態】
以下、本発明を適用したラインフィルタの具体的な実施の形態について図面を参照しながら詳細に説明する。
【００１３】
本実施形態のラインフィルタ１は、図１（ａ）及び図１（ｂ）に示すように、中空のコイルボビン２に２つのコイル、すなわち一次コイル３及び二次コイル４とを巻回してなるものであり、一次コイル３の外周面に接して温度ヒューズ５を設置してなるものである。
【００１４】
コイルボビン２は、軸芯方向の両端にフランジ部２ａ，２ｂを有するとともに、中央部にも仕切り板として機能するフランジ部２ｃを有し、一次コイル３はフランジ部２ａとフランジ２ｃとの間の領域に、二次コイル４はフランジ部２ｂとフランジ２ｃとの間の領域に巻回されている。また、前記コイルボビン２の中空部内には、高透磁率を有する磁気コア６が嵌合されている。
【００１５】
前記コイルボビン２の各フランジ部２ａ，２ｂ，２ｃの一端部には、例えばプリント基板への取り付け部となる支持部７，８，９が設けられ、両端のフランジ部２ａ，２ｂに対応する支持部７，９には、一次コイル３や二次コイル４の端末を接続するリードピン１０，１１が植立されている。ここで、二次コイル４の端末は、支持部９に設けられた２本のリードピン１１にそれぞれ巻き付けられ、電気的及び機械的に接続されている。
【００１６】
一方、一次コイル３に対応したフランジ部２ａには、その高さ方向の中途位置に補助端子１２が植立されており、ここに一次コイル３の一方の端末、及び前記温度ヒューズ５の一方の端子が接続されている。すなわち、一次コイル３の一方の端末は、支持部７に設けられたリードピン１０のうちの一方のリードピン１０ａに巻き付けられ、電気的及び機械的に接続されている。一次コイル３の他方の端末は、前記補助端子１２に巻き付けられている。温度ヒューズ５は、一方の端子が前記補助端子１２に巻き付けられ、前記一次コイル３を延長するような形で一次コイル３の外周面に巻き付けられ、他方の端子が支持部７に設けられたリードピン１０ｂに巻き付けられ、電気的及び機械的に接続されている。したがって、前記一次コイル３と温度ヒューズ５とは、前記補助端子１２を介して直列に接続されることになる。
【００１７】
図２は、本実施形態のラインフィルタ１の回路図である。前記一次コイル３と温度ヒューズ５とが直列接続され、温度ヒューズ５は、あたかも一次コイル３の一部のように組み込まれている。ラインフィルタ１のリードピンを見たときにも、通常のラインフィルタと同様、一次コイル用のリードピン１０（実際には、一方のリードピン１０ｂには温度ヒューズ５の一方の端子が接続されている。）と、２次コイル用のリードピン１１とが外部接続用端子として設けられているのみである。
【００１８】
このように、本実施形態のラインフィルタ１では、温度ヒューズ５が巻線コイルと一体に組み込まれており、１つの素子として取り扱うことができる。また、プリント基板への実装の際にも、ラインフィルタ１の実装のみで良く、別途、温度ヒューズ５をプリント基板へ実装する必要はない。したがって、プリント基板に温度ヒューズ用の接続ランド部等を設ける必要がなく、実装面積を削減することができる。これはプリント基板の小型化、ひいては機器の小型化に繋がる。
【００１９】
また、温度ヒューズ５の一次コイル３の外周面への固定には、ここではシリコン接着剤を用いている。シリコン接着剤は、熱伝導性に優れ、一次コイル３の発熱を温度ヒューズ５に伝達する上で妨げとなることはない。したがって、一次コイル３の温度が異常に上昇した際には、その熱が温度ヒューズ５に伝わってこれを溶断し、一次コイル３への電流が遮断される。従来は、ラインフィルタのレイヤーショートにより入力電流が増加した時に電流ヒューズを２次的に切断してラインフィルタの異常発熱に対する対処をしていたが、本実施形態のラインフィルタでは、温度上昇を温度ヒューズ５で感知して溶断する直接的方法で対処するようにしているので、安全性を高めることが可能である。
【００２０】
以上、本発明を適用したラインフィルタについて説明してきたが、本発明がこの実施形態に限られるものではなく、その趣旨を逸脱しない範囲で適宜変更が可能であることは言うまでもない。
【００２１】
例えば、先の実施形態では、温度ヒューズ５を一次コイル３の外周面に固定するようにしたが、図３（ａ）及び図３（ｂ）に示すように、温度ヒューズ５をコイルボビン２のフランジ部２ａに固定することも可能である。この場合にも同様の効果を得ることができる。なお、図３（ａ）及び図３（ｂ）に示すラインフィルタは、温度ヒューズ５の取り付け位置が異なるのみで、他の構成は先の実施形態のものと同様であるので、同一の部材には同一の符号を付して、その説明は省略する。
【００２２】
【発明の効果】
以上詳細に説明したように、本発明によれば、ラインフィルタの過熱を確実に防止することができ、しかも過熱防止のための温度ヒューズの取り扱いや実装作業を簡略化することが可能である。また、ラインフィルタの実装面積を小さくすることができ、機器の小型化を実現することが可能である。
【図面の簡単な説明】
【図１】本発明を適用したラインフィルタの一例を示すものであり、（ａ）は側面図、（ｂ）は正面図である。
【図２】図１のラインフィルタの回路構成を示す回路図である。
【図３】本発明を適用したラインフィルタの他の例を示すものであり、（ａ）は側面図、（ｂ）は正面図である。
【図４】従来のスイッチング電源のＡＣ入力部の回路構成を示す回路図である。
【符号の説明】
１        ラインフィルタ
２        コイルボビン
３        一次コイル
４        二次コイル
５        温度ヒューズ
１２      補助端子
【図１】
2004266088.tif 000003
【図２】
2004266088.tif 000004
【図３】
2004266088.tif 000005
【図４】
2004266088.tif 000006